(57)【要約】      （修正有）【課題】ゴルフボール位置のマーカー機能とグリーンの芝起こし機能とを兼ね備え、且つ、パッティング時における打球方向の指標設定を容易に行うことができる多機能ゴルフマーカーを提供する。【解決手段】多機能ゴルフマーカー１００は、扁平形状のマーカー本体１０と、マーカー本体１０から直状に延出されるとともに、先端部に芝起こし爪３１を有する延出部材３０と、備える。マーカー本体１０の表面上には、ゴルフボールの打球方向の指標となる指標ライン２０が付され、延出部材３０は指標ライン２０に沿って延出されている。【選択図】図１
0003215250.tif 000002
【実用新案登録請求の範囲】
【請求項１】
扁平形状のマーカー本体と、
前記マーカー本体から直状に延出されるとともに、先端部に芝起こし爪を有する延出部材と、
備え、
前記マーカー本体の表面上には、ゴルフボールの打球方向の指標となる指標ラインが付され、
前記延出部材は前記指標ラインに沿って延出されていることを特徴とする多機能ゴルフマーカー。
【請求項２】
前記マーカー本体の表面側中央部は隆起している、請求項１に記載の多機能ゴルフマーカー。
【請求項３】
前記指標ラインは、前記マーカー本体及び前記延出部材に亘る帯状部として形成され、該帯状部には指標中心線が印されている、請求項１または請求項２に記載の多機能ゴルフマーカー。
【請求項４】
前記芝起こし爪は、少なくとも二股以上に分岐されている、請求項１から３のいずれか１項に記載の多機能ゴルフマーカー。
【請求項５】
前記芝起こし爪は、側面視において、該芝起こし爪の先端を表面側へ湾曲または屈曲させて形成されている、請求項４に記載の多機能ゴルフマーカー。
【請求項６】
前記マーカー本体の裏面中心部には、該マーカー本体の回動支点となるピンが突設されている、請求項１から５のいずれか１項に記載の多機能ゴルフマーカー。
【考案の詳細な説明】
【技術分野】
【０００１】
本考案は、グリーン上に着地したゴルフボール位置のマーカー機能に加え、他の機能をも備えた多機能ゴルフボールマーカーに関する。
【背景技術】
【０００２】
ゴルフのラウンドプレーにおいて、グリーン上にゴルフボールがオンすると、プレーヤーはパッティングに際して、カップに向かってゴルフボールの手前にマーカーを仮置きし、ボール位置をマーキングする。そして、ゴルフボールの表面を布でクリーニングした後、当該ゴルフボールを元の位置にリプレイスする。
【０００３】
また、グリーン上にゴルフボールがオンすると、ゴルフボールの着地痕がグリーンに窪みとして残る。パッティングの際にゴルフボールが窪みを通過すると、ボール軌道が反れてしまい、意図した方向に打球が転がらない。そこで、プレーヤーは、グリーンの芝生状況を観察し、必要に応じて芝起こし具（グリーンフォーク）を用いて芝目を起こして窪みを修正している。
【０００４】
グリーンフォークを内蔵した多機能ゴルフボールマーカーに関連する技術としては、例えば、円形の平板の片面を、周辺部にむかって巾が狭まる溝を、前記平板の周辺部近傍より中心部を通して穿ち、該溝部分に、凸部を露出させて設けるグリーンフォークを挿嵌し、円形の平板と同型の凸部が露出する細長の溝を形成した平板を重ね合わせて成る多機能ゴルフボールマーカーが提案されている（特許文献１参照）。
【先行技術文献】
【特許文献】
【０００５】
【特許文献１】特開２０１３−２３３４０７号公報
【考案の概要】
【考案が解決しようとする課題】
【０００６】
ところで、特許文献１の多機能ゴルフボールマーカーは、ゴルフボールマーカーにグリーンフォークを内蔵させて持ち歩くことができ、携帯性に優れている。この多機能ゴルフボールマーカーをグリーンフォークとして使用する時は、平板上部開口溝から露出している凸部を開口溝に沿ってスライドさせることにより、フォーク部分が突出する。グリーンフォークの使用を終えると、再び凸部を開口溝に沿って逆方向へスライドさせることにより、フォーク部分がマーカー本体へと収納される。したがって、迅速なプレーが要求される中、フォーク部分の進退操作が煩雑であった。
【０００７】
また、ゴルフボール位置のマーカー機能及びグリーンの芝起こし機能に加えて、パッティング時における打球方向の指標設定を行うことができれば、多機能ゴルフボールマーカーの利便性をより向上させることができる。
【０００８】
本考案は、上記の事情に鑑みて創案されたものであり、ゴルフボール位置のマーカー機能とグリーンの芝起こし機能とを兼ね備え、かつ、パッティング時における打球方向の指標設定を容易に行うことができる多機能ゴルフマーカーを提供することを目的とする。
【課題を解決するための手段】
【０００９】
上記目的を達成するための本考案に係る多機能ゴルフマーカーは、扁平形状のマーカー本体と、上記マーカー本体から直状に延出されるとともに、先端部に芝起こし爪を有する延出部材と、備え、上記マーカー本体の表面上には、ゴルフボールの打球方向の指標となる指標ラインが付され、上記延出部材は上記指示ラインに沿って延出されていることを特徴とする。
【００１０】
上記マーカー本体の表面側中央部は隆起していることが好ましい。
【００１１】
上記指標ラインは、上記マーカー本体及び上記延出部材に亘る帯状部として形成され、該帯状部には指標中心線が印されていることが好ましい。
【００１２】
上記芝起こし爪は、少なくとも二股以上に分岐されていることが好ましい。
【００１３】
上記芝起こし爪は、側面視において、該芝起こし爪の先端を表面側へ湾曲または屈曲させて形成されていることが好ましい。
【００１４】
また、上記マーカー本体の裏面中心部には、該マーカー本体の回動支点となるピンが突設されていてもよい。
【考案の効果】
【００１５】
本考案に係る多機能ゴルフマーカーは、ゴルフボール位置のマーカー機能とグリーンの芝起こし機能とを兼ね備え、且つ、パッティングにおける打球方向の指標設定を容易に行うことができるという優れた効果を発揮する。
【図面の簡単な説明】
【００１６】
【図１】第１実施形態に係る多機能ゴルフマーカーの平面図である。
【図２】第１実施形態に係る多機能ゴルフマーカーの左側面図である。
【図３】第１実施形態に係る多機能ゴルフマーカーの使用状態の平面図である。
【図４】第１実施形態に係る多機能ゴルフマーカーの使用状態の概略図である。
【図５】第２実施形態に係る多機能ゴルフマーカーの左側面図である。
【図６】第３実施形態に係る多機能ゴルフマーカーの左側面図である。
【考案を実施するための形態】
【００１７】
以下、図面を参照して、第１から第３実施形態に係る多機能ゴルフマーカーについて説明する。図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
〔第１実施形態〕
［多機能ゴルフマーカーの構成］
【００１８】
まず、図１及び図２を参照して、第１実施形態に係る多機能ゴルフマーカー１００の構成について説明する。図１は第１実施形態に係る多機能ゴルフマーカーの平面図である。図２は第１実施形態に係る多機能ゴルフマーカーの左側面図である。なお、図１は第１実施形態に係る多機能ゴルフマーカーの表面側を示している。
【００１９】
図１及び図２において、第１実施形態に係る多機能ゴルフマーカーは、マーカー本体１０と、当該マーカー本体から直状に延出された延出部材３０を備えている。マーカー本体１０と延出部材３０は一体に形成されている。本実施形態のマーカー本体１０及び延出部材３０は、例えば、プラスチックにより形成されているが、金属や木材などの他の材質により形成してもよい。また、マーカー本体１０と延出部材３０は、異なる材質を組み合わせて形成しても構わない。
【００２０】
マーカー本体１０は、例えば、扁平形状に形成されている。本実施形態のマーカー本体１０は、平面視が円形状を呈している。本実施形態のマーカー本体１０は円形状に限定されず、正三角形状や正多角形状などの平面視において左右対称で偏りのない形状であればよい。また、本実施形態のマーカー本体１０の表面側中央部は、側面視においてドーム状に隆起している。さらに、本実施形態のマーカー本体１０の外径は、ゴルフボールの外径よりも小さく形成することが好ましいが、ゴルフボールの外径と略同径、もしくはゴルフボールの外径よりも大きく形成しても構わない。
【００２１】
延出部材３０は、マーカー本体１０から径方向へ直状に延びている部材である。マーカー本体１０及び延出部材３０の表面上には、パッティングにおける打球方向の指標となる指標ライン２０が付されている。延出部材３０は、指標ライン２０に沿って延出されている。
【００２２】
本実施形態の指標ライン２０は、帯状部として形成されている。本実施形態の帯状部（指標ライン）２０は、マーカー本体１０及び延出部材３０に亘って帯状部材を被覆して形成されているが、マーカー本体１０及び延出部材３０上に印刷や塗装等により形成してもよい。マーカー本体１０の中心を通る指標中心線２１が平面視において直状に印されている。帯状部（指標ライン）２０は、後述するように、ゴルフボール４０のマーキング５０と同一色に着色することが好ましい（図３参照）。
【００２３】
本実施形態の延出部材３０の先端部には、芝起こし爪３１が形成されている。芝起こし爪３１は、必ずしも分岐されている必要はなく、一本の爪であってもよい。本実施形態の芝起こし爪３１は、例えば、二股に分岐されている。芝起こし爪３１を分岐する場合は、少なくとも二股以上に分岐されていることが好ましい。即ち、芝起こし爪３１は、三股や四股等であっても構わない。なお、芝起こし作業を考慮して、芝起こし爪３１の部分には、帯状部（指標ライン）２０は設けられていない。
【００２４】
また、図２に示すように、本実施形態の芝起こし爪３１は、側面視において、当該芝起こし爪３１の先端を表面側へ湾曲させて反り返るように形成されているが、直状であっても構わない。芝起こし爪３１の先端を湾曲させているのは、芝起こし作業をやり易くするためと、グリーン上の多機能ゴルフマーカー１００をピックアップし易くするためである。芝起こし爪３１の先端を表面側へ湾曲させているのは、本実施形態に係る多機能ゴルフマーカー１００の裏面側をグリーン上に置く場合に、芝面に沿って着座し易くするためである。
［多機能ゴルフマーカーの作用］
【００２５】
次に、図１から図４を参照して、第１の実施形態に係る多機能ゴルフマーカー１００の作用について説明する。図３は第１実施形態に係る多機能ゴルフマーカーの使用状態の平面図である。図４は第１実施形態に係る多機能ゴルフマーカーの使用状態の概略図である。
【００２６】
図３に示すように、本実施形態で使用するゴルフボール４０には、打球方向の指標となる７本のマーキング５０が印されている。ゴルフボール４０のマーキング５０は、縦センターライン５１と、当該縦センターライン５１の両側の二対の縦補助ライン５２と、縦センターライン５１及び縦補助ライン５２と交差する一対の横補助ライン５３とが形成されている。縦センターライン５１、縦補助ライン５２及び横補助ライン５３は、ゴルフボール４０の表面に、例えば、油性インキ等により印されている。
【００２７】
ゴルフボール４０のマーキング５０に使用する油性インキ等の色は、黒色、赤色、青色、紫色など、プレーヤーの好みの色を選択する。プレーヤー同士がプレー中にゴルフボール４０を混同しないように個別の色を選択することが好ましい。本実施形態に係る多機能ゴルフマーカー１００の帯状部（指標ライン）２０は、ゴルフボール４０のマーキング５０の色と一致させることが好ましい。
【００２８】
図３及び図４に示すように、グリーン７０上でのパッティングに際してゴルフボール４０をリプレイスする場合、まず、カップ６０に向かってゴルフボール４０の手前に、多機能ゴルフマーカー１００のマーカー本体１０を接近させて置きます。
【００２９】
次に、ゴルフボール４０を取り上げ、ボール表面を布で清掃します。そして、多機能ゴルフマーカー１００の指標中心線２１とゴルフボール４０の打球方向とが一致するように、ゴルフボール４０及び当該多機能ゴルフマーカー１００の向きを調整します。ゴルフボール４０及び多機能ゴルフマーカー１００の向きを調整する際、ゴルフボール４０の縦センターライン５１及び多機能ゴルフマーカー１００の指標中心線２１が一直線上に並ぶように意識します。ゴルフボール４０には、縦センターライン５１の他に、縦補助ライン５２及び横補助ライン５３が印されているので、縦センターライン５１の向きの調整が容易になります。
【００３０】
パッティングに際してグリーン７０の芝生状況を確認し、例えば、ゴルフボール４０とカップ６０との間の芝生にゴルフボール４０の着地痕による窪みが付いている場合は、多機能ゴルフマーカー１００の芝起こし爪３１で芝起こして窪みを修正します。
【００３１】
次に、不図示のゴルフクラブを垂下させて、ゴルフボール４０とカップ６０との間のグリーン７０の傾斜状況を確認します。グリーン７０の傾斜状況を確認し、例えば、ゴルフボール４０とカップ６０との間のグリーン状態が傾斜のないストレートラインであると判断した場合は、多機能ゴルフマーカー１００の指標中心線２１、ゴルフボール４０の縦センターライン５１及びカップ６０の中心部が一直線上に並ぶように、ゴルフボール４０の打球方向を調整します。
【００３２】
一方、例えば、ゴルフボール４０とカップ６０との間のグリーン状態が右傾斜のアンジュレーションを有すると判断した場合は、多機能ゴルフマーカー１００の指標中心線２１及びゴルフボール４０の縦センターライン５１がカップ６０の左側へ向けて一直線上並ぶように、ゴルフボール４０の打球方向を調整します。その際、多機能ゴルフマーカー１００の指標中心線２１及びゴルフボール４０の縦センターライン５１の向きは、右傾斜の度合いによって調整します。
【００３３】
他方、例えば、ゴルフボール４０とカップ６０との間のグリーン状態が左傾斜のアンジュレーションを有すると判断した場合は、多機能ゴルフマーカー１００の指標中心線２１及びゴルフボール４０の縦センターライン５１がカップ６０の右側へ向けて一直線上並ぶように、ゴルフボール４０の打球方向を調整します。その際、多機能ゴルフマーカー１００の指標中心線２１及びゴルフボール４０の縦センターライン５１の向きは、左傾斜の度合いによって調整します。
【００３４】
このようにゴルフボール６０の打球方向を調整した後、多機能ゴルフマーカー１００を取り上げ、距離感に応じて打ち出し強さを調整してパッティングを行います。
【００３５】
このように、第１実施形態に係る多機能ゴルフマーカー１００はマーカー本体１０を備えるので、グリーン７０上におけるゴルフボール位置のマーカー機能を有する。
【００３６】
また、本実施形態に係る多機能ゴルフマーカー１００は延出部材３０を備え、当該延出部材３０の先端部に芝起こし爪３１を有するので、グリーン７０の芝起こし機能を有する。この芝起こし爪３１を分岐形成した場合には、複数本の芝起こし爪３１で芝を起こすので、芝起こし作業を効率的に行うことができる。加えて、芝起こし爪３１は、側面視において、当該芝起こし爪の先端を表面側へ湾曲させているので、湾曲基部側を支点としながら、適度な角度で芝起こし作業を行うことができる。
【００３７】
また、本実施形態に係る多機能ゴルフマーカー１００のマーカー本体１０及び延出部材３０に亘ってゴルフボール４０の打球方向の指標となる指標中心線２１を有するので、パッティングにおけるゴルフボール４０の打球方向の指標設定を容易に行うことができる。この指標中心線２１は、帯状部としての指標ライン２０上に印されているので、当該指標中心線２１を視覚的に強調して目立たせることができる。
【００３８】
さらに、ゴルフボール４０のマーキング５０の色と、帯状部（指標ライン）２０と色とを一致させることにより、ゴルフボール４０の縦センターライン５１と帯状部（指標ライン）２０との統一感が出て、縦センターライン５１及び帯状部（指標ライン）２０を一直線上に調整し易くなる。
【００３９】
本実施形態のマーカー本体１０は、側面視において表面側中央部がドーム状に隆起しているので、グリーン７０上のマーカー位置を離れた位置からも認識しやすい。また、グリーン７０の傾斜状況の観察時において、様々な角度から指標ライン２０及び指標中心線２１を視認することができる。加えて、直状の延出部材３０の存在により、指標ライン２０及び指標中心線２１の距離が周知のゴルフマーカーよりも長く設定されているので、ゴルフボール４０の打球方向の調整がより容易となる。
【００４０】
以上、説明したように、第１実施形態に係る多機能ゴルフマーカー１００によれば、ゴルフボール位置のマーカー機能とグリーンの芝起こし機能とを兼ね備え、且つ、パッティングにおける打球方向の指標設定を容易に行うことができるという優れた効果を奏する。
〔第２実施形態〕
【００４１】
次に、図５を参照して、第２実施形態に係る多機能ゴルフマーカー２００の構成について説明する。図５は第２実施形態に係る多機能ゴルフマーカーの左側面図である。なお、第１実施形態と同一の要素については、同一の符号を付して説明する。
【００４２】
図５に示すように、第２実施形態に係る多機能ゴルフマーカー２００は、マーカー本体１０の裏面にピン８０が存在する点が、第１実施形態と異なる。ピン８０は、マーカー本体１０の裏面の中心部に設けられている。
【００４３】
第２実施形態に係る多機能ゴルフマーカー２００は、基本的には第１実施形態と同様の作用効果を奏する。特に、第２実施形態に係る多機能ゴルフマーカー２００は、マーカー本体１０の裏面中心部にピン８０を有する。したがって、第２実施形態に係る多機能ゴルフマーカー２００によれば、ピン８０を支点として、延出部材３０の先端側を回動させることにより、当該多機能ゴルフマーカー２００の向きを容易に調整することができるという有利な効果を発揮する。
〔第３実施形態〕
【００４４】
次に、図６を参照して、第３実施形態に係る多機能ゴルフマーカー３００の構成について説明する。図６は、第２実施形態に係る多機能ゴルフマーカーの左側面図である。なお、第１実施形態と同一の要素については、同一の符号を付して説明する。
【００４５】
図６に示すように、第３実施形態に係る多機能ゴルフマーカー３００は、マーカー本体１０及び延出部材３０の全体が板材で形成されている点が、第１実施形態と異なる。第３実施形態に係る多機能ゴルフマーカー３００は、例えば、金属板やプラスチック板等の板材を打ち抜き加工や切り抜き加工して形成することができる。第３実施形態に係る多機能ゴルフマーカー３００の芝起こし爪３１は、側面視において、該芝起こし爪３１の先端を表面側へ屈曲させて形成されている。
【００４６】
本実施形態の帯状部（指標ライン）２０は、第１実施形態と同様に、マーカー本体１０及び延出部材３０に亘って帯状部材を被覆して形成されているが、マーカー本体１０及び延出部材３０上に印刷や塗装等により形成してもよい。
【００４７】
第３実施形態に係る多機能ゴルフマーカー３００は、基本的には第１実施形態と同様の作用効果を奏する。特に、第３実施形態に係る多機能ゴルフマーカー３００は、マーカー本体１０及び延出部材３０の全体が板材で形成されている。したがって、第３実施形態に係る多機能ゴルフマーカー３００によれば、加工が容易で汎用性に優れるという有利な効果を発揮する。
【００４８】
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【符号の説明】
【００４９】
１０    マーカー本体、
２０    指標ライン（帯状部）、
２１    指標中心線、
３０    延出部材、
３１    芝起こし爪、
４０    ゴルフボール。
【図１】
0003215250.tif 000003
【図２】
0003215250.tif 000004
【図３】
0003215250.tif 000005
【図４】
0003215250.tif 000006
【図５】
0003215250.tif 000007
【図６】
0003215250.tif 000008